(57)【要約】【課題】  不織布製片体を吸着可能な基板の提供。【解決手段】  基板の表面にフレキシブルな軟質フエルト布が結合され、フエルト布の表面に均一に複数の絨毛が配設され、別に複数の不織布製片体が設けられ、片体表面に文字、数字、図形等が印刷された表示ユニットが設けられ、不織布と絨毛間の発生する静電気により、片体がフエルト布に貼り付けられ、吸着効果が良好で、片体を速やかに分離して再度フエルト布に貼り付けることができ、全体構成が簡単で、製造コストが低く且つ快速生産が行なえる。【選択図】        図３
0003112246.tif 000002
【実用新案登録請求の範囲】
【請求項１】
不織布製片体を吸着可能な基板において、基板の少なくとも一つの表面にフレキシブルな軟質のフエルト布が結合され、フエルト布の表面に複数の絨毛が分布して不織布製片体の該絨毛への吸着に供されることを特徴とする、不織布製片体を吸着可能な基板。
【請求項２】
請求項１記載の不織布製片体を吸着可能な基板において、基板が硬質紙とされたことを特徴とする、不織布製片体を吸着可能な基板。
【請求項３】
請求項１記載の不織布製片体を吸着可能な基板において、基板に少なくとも一つの折り目が設けられたことを特徴とする、不織布製片体を吸着可能な基板。
【請求項４】
請求項１記載の不織布製片体を吸着可能な基板において、片体表面に表示ユニットが設けられたことを特徴とする、不織布製片体を吸着可能な基板。
【請求項５】
不織布製片体を吸着可能な基板において、基板の少なくとも一つの表面に絨毛層が結合され、絨毛層の表面に複数の絨毛が配設されて不織布製片体の絨毛への吸着に供されることを特徴とする、不織布製片体を吸着可能な基板。
【請求項６】
請求項５記載の不織布製片体を吸着可能な基板において、片体表面に表示ユニットが設けられたことを特徴とする、不織布製片体を吸着可能な基板。
【考案の詳細な説明】
【技術分野】
【０００１】
本考案は一種の不織布製片体を吸着可能な基板を提供し、特に基板表面にフエルト布が結合され、フエルト布表面の絨毛と不織布製片体の発生する静電吸着の技術に関する。
【背景技術】
【０００２】
周知の基板１００は磁気吸着可能な金属材料で製造され（図１）、別に複数の片体２００が設けられ、該片体２００の表面に表示作用を有する文字、数字、図形等の表示ユニットが設けられ、片体２００の底面に磁石２０１が固定され、磁石２０１により片体２００が基板１００に吸着されるが、その全体構造は複雑で、製造コストが高く、且つ磁石２０１の吸着力は大き過ぎ、片体２００を基板１００より取り外すのが容易でなく力を費やす。基板１００はまた紙材で製造可能で、片体２００を基板１００に結合させる時は、ピン２０２を片体２００と基板１００に突き刺す（図２）ようにしたものもあるが、長期に反復使用すると、基板１００及び片体２００が損壊する。
【考案の開示】
【考案が解決しようとする課題】
【０００３】
本考案の主要な目的は、一種の不織布製片体を吸着可能な基板を提供することにあり、それは、該基板の少なくとも一つの表面にフレキシブルな軟質のフエルト布が結合され、フエルト布表面に均一に絨毛が配設され、別に複数の不織布製片体が設けられ、該片体の表面に、符号、数字、図形等の表示ユニットが設けられ、片体が基板に貼り付けられる時、絨毛と不織布間に発生する静電気により吸着状態を呈し、全体構造が簡単で、製造コストが低く、快速に生産でき、且つ片体の吸着効果が極めて良好で、片体の基板からの取り外しが楽に速やかに行なえる。
【０００４】
本考案の次の目的は、前述の基板に少なくとも一つの折り目を設けて、基板を該折り目により折り畳んで大幅に基板体積を縮小でき、携帯、収納に場所をとらないようにすることにある。
【課題を解決するための手段】
【０００５】
請求項１の考案は、不織布製片体を吸着可能な基板において、基板の少なくとも一つの表面にフレキシブルな軟質のフエルト布が結合され、フエルト布の表面に複数の絨毛が分布して不織布製片体の該絨毛への吸着に供されることを特徴とする、不織布製片体を吸着可能な基板としている。
請求項２の考案は、請求項１記載の不織布製片体を吸着可能な基板において、基板が硬質紙とされたことを特徴とする、不織布製片体を吸着可能な基板としている。
請求項３の考案は、請求項１記載の不織布製片体を吸着可能な基板において、基板に少なくとも一つの折り目が設けられたことを特徴とする、不織布製片体を吸着可能な基板としている。
請求項４の考案は、請求項１記載の不織布製片体を吸着可能な基板において、片体表面に表示ユニットが設けられたことを特徴とする、不織布製片体を吸着可能な基板としている。
請求項５の考案は、不織布製片体を吸着可能な基板において、基板の少なくとも一つの表面に絨毛層が結合され、絨毛層の表面に複数の絨毛が配設されて不織布製片体の絨毛への吸着に供されることを特徴とする、不織布製片体を吸着可能な基板としている。
請求項６の考案は、請求項５記載の不織布製片体を吸着可能な基板において、片体表面に表示ユニットが設けられたことを特徴とする、不織布製片体を吸着可能な基板としている。
【考案の効果】
【０００６】
本考案は、一種の不織布製片体を吸着可能な基板を提供し、それは、該基板の少なくとも一つの表面にフレキシブルな軟質のフエルト布が結合され、フエルト布表面に均一に絨毛が配設され、別に複数の不織布製片体が設けられ、該片体の表面に、符号、数字、図形等の表示ユニットが設けられ、片体が基板に貼り付けられる時、絨毛と不織布間に発生する静電気により吸着状態を呈し、全体構造が簡単で、製造コストが低く、快速に生産でき、且つ片体の吸着効果が極めて良好で、片体の基板からの取り外しが楽に速やかに行なえる。また、基板に少なくとも一つの折り目が設けられて、基板を該折り目により折り畳んで大幅に基板体積を縮小でき、携帯、収納に場所をとらない。
【考案を実施するための最良の形態】
【０００７】
図３、４に示されるように、本考案の基板１０は硬質紙板で形成され、該基板１０の少なくとも一つの表面にフレキシブルな軟質のフエルト布１１が結合され、該フエルト布１１の表面に均一に絨毛１２が配設されている。図５に示される実施例では基板１０の二側表面にそれぞれフエルト布１１が結合されている。
【０００８】
別に不織布製の複数の片体２０が設けられ、該片体２０の表面には、文字、数字、図形等の表示ユニットＡが設けられている。
【０００９】
実施運用時には、基板１０に直接片体２０が貼り付けられ、絨毛１２と不織布間に発生する静電気により、片体２０が安定してフエルト布１１に吸着される（図６、７参照）。
【００１０】
基板１０の二側表面にそれぞれフエルト布１１が結合された設計（図７）は、吊掛て展示用途に供され、片体２０が直接基板１０の二側表面に貼り付けられ、二つの異なる方向の良好な展示効果を呈する。
【００１１】
本考案の片体２０の表面の表示ユニットＡが文字とされる時、片体２０を基板１０表面より随時取り外して再度配列して、幼児の文字認識に供して教育の目的を達成できる（図３、８）。基板１０が商品価格板とされる時、フエルト布１１に吸着される片体２０の表示ユニットＡは商品名称と価格とされる（図９）。片体２０表面の表示ユニットＡが歓迎語句の文字、空間区域用途の文字等とされる（図１０、１１）時、フエルト布１１に吸着される片体２０は告知の機能を有する。基板１０が書籍、アルバムのカバーとされる時、片体２０表面の表示ユニットＡは装飾用図案とされ、片体２０が書籍、アルバムのカバーとされる基板１０表面のフエルト布１１に吸着され（図１２）、効果的に書籍、アルバムを装飾し、書籍、アルバムの付加価値を高める。本考案は知育玩具とされ得て、複数の異なる形状の片体２０で構成され、複数の片体２０が分散され、更に一つずつ基板１０表面に貼り付けられて一つの所定の完全な図形を形成するものとされ（図１３）、これにより脳の発達を促す。
【００１２】
基板１０には少なくとも一つの折り目１３が設けられ（図１４、１５）、折り目１３の設置により基板１０の不使用或いは収納時に、基板１０をフレキシブルな軟質のフエルト布１１と一体に折り畳み（図１６、１７）、大幅に基板１０の体積を縮小でき、基板１０の携帯、収納に便利である。
【００１３】
本考案の別の実施例は、図１８、１９に示されるように、基板１０の少なくとも一つの表面に絨毛層３０が結合され、絨毛層３０の表面に均一に絨毛１２が分布し、同様に表面に表示ユニットＡが設けられた不織布製片体２０が絨毛層３０の絨毛１２に吸着可能とされている。
【００１４】
本考案は以上の構造により、周知の技術と比較して以下の効果を有している。
１．不織布製片体２０と絨毛１２の発生する静電吸着により片体２０が安定して基板１０表面のフエルト布１１に吸着され、片体２０を随時取り外して再度基板１０に配列でき、且つ吸着効果が良好で、片体２０とフエルト布１１の吸着と分離が極めて楽で簡単快速に行なえる。
２．基板１０表面に絨毛１２を具えたフエルト布１１が結合され、片体２０の吸着に供され、構成部品が簡単で、製造コストが低く、且つ快速生産できる。
３．片体２０表面に文字、数字、図形等の表示ユニットＡを印刷可能で、且つ片体２０の外形は異なる形状とすることができ、これにより本考案は教育、商品価格表示、告知、装飾、知育玩具等の多くの用途を有する。
４．基板１０に少なくとも一つの折り目１３が設けられ、これにより基板１０を不使用或いは収納する時、折り目１３を利用して基板１０とフエルト布１１を一体に折り畳むことができ、大幅に基板１０の体積を縮小でき、基板１０の携帯、収納に場所をとらない。
【００１５】
総合すると本考案は確実に予期された使用効果を達成し、且つ周知の技術と比較し進歩性と実用性を有し、その特徴はその出願前に同類の物品中になく、空間形態に新規性があり、実用新案登録の要件を具備している。
【図面の簡単な説明】
【００１６】
【図１】周知の技術の組合せ断面図である。
【図２】別の周知の技術の組合せ断面図である。
【図３】本考案の立体分解図である。
【図４】本考案の基板の一側表面にフエルト布を結合させた断面図である。
【図５】本考案の基板の二側表面にフエルト布を結合させた断面図である。
【図６】本考案の組合せ断面図である（片体が基板の一側表面に結合されたフエルト布に吸着されている）。
【図７】本考案の別の組合せ断面図である（片体が基板の二側表面に結合されたフエルト布に吸着されている）。
【図８】本考案が教育用具とされた平面図である。
【図９】本考案が商品価格板とされた平面図である。
【図１０】本考案が告知板とされた平面図である。
【図１１】本考案が告知板とされた平面図である。
【図１２】本考案が書籍、アルバムのカバーとされた立体外観図である。
【図１３】本考案が知育玩具とされた平面図である。
【図１４】本考案の基板に一つの折り目が設けられた平面図である。
【図１５】本考案の基板に二つの折り目が設けられた平面図である。
【図１６】本考案の基板が二つ折りされた立体外観図である。
【図１７】本考案の基板が三つ折りされた立体外観図である。
【図１８】本考案の別の実施例の組合せ断面図である。
【図１９】本考案の別の実施例の片体が吸着された組合せ断面図である。
【符号の説明】
【００１７】
１００  基板            ２００  フエルト布
２０１  磁石            ２０２  ピン
１０  基板              １１  フエルト布
１２  絨毛              １３  折り目
２０  片体              ３０  絨毛層
Ａ  表示ユニット
【図１】
0003112246.tif 000003
【図２】
0003112246.tif 000004
【図３】
0003112246.tif 000005
【図４】
0003112246.tif 000006
【図５】
0003112246.tif 000007
【図６】
0003112246.tif 000008
【図７】
0003112246.tif 000009
【図８】
0003112246.tif 000010
【図９】
0003112246.tif 000011
【図１０】
0003112246.tif 000012
【図１１】
0003112246.tif 000013
【図１２】
0003112246.tif 000014
【図１３】
0003112246.tif 000015
【図１４】
0003112246.tif 000016
【図１５】
0003112246.tif 000017
【図１６】
0003112246.tif 000018
【図１７】
0003112246.tif 000019
【図１８】
0003112246.tif 000020
【図１９】
0003112246.tif 000021